(57)【要約】【課題】長波帯標準電波信号をモニタする装置を提供する。【解決手段】長波帯標準電波信号を送信する所定の送信所から遠く離れた場所で用いられる長波帯標準電波信号モニタ装置であって、前記長波帯標準電波信号を受信する受信手段と、受信された長波帯標準電波信号に含まれるノイズを除去する前処理手段と、前処理された長波帯標準電波信号に含まれる所定の情報を抽出する抽出手段と、抽出された所定の情報を表示する表示手段とを有する。【選択図】      図１
2004153508.tif 000002
【特許請求の範囲】
【請求項１】
長波帯標準電波信号を送信する所定の送信所から遠く離れた場所で用いられる長波帯標準電波信号モニタ装置であって、
前記長波帯標準電波信号を受信する受信手段と、
受信された長波帯標準電波信号に含まれるノイズを除去する前処理手段と、
前処理された長波帯標準電波信号に含まれる所定の情報を抽出する抽出手段と、
抽出された所定の情報を表示する表示手段と、
を有することを特徴とする長波帯標準電波信号モニタ装置。
【発明の詳細な説明】
【０００１】
【発明の属する技術分野】
本発明は、福島県のおおたかどや山又は佐賀県及び福岡県の県境のはがね山から送信される長波帯の標準電波信号を監視するための長波帯標準電波信号モニタ装置に関する。
【０００２】
【従来の技術】
現在、独立行政法人通信総合研究所（ＣＲＬ）は、標準周波数と日本標準時（ＪＳＴ）を日本全国に知らせるために、福島県のおおたかどや山からは、４０ＫＨｚ  の長波帯の標準電波信号を、また、佐賀県と福岡県の県境のはがね山から６０ＫＨｚ  の長波帯の標準電波信号を送信している。したがって、放送局等の所定の箇所では、この長波帯標準電波信号を受信してその所定の箇所に設けられている親時計を日本標準時に合わせて時刻管理や報時サービス等を行っている。
【０００３】
また、近年、特開２００２−１６２４８２号公報や特開２００２−２５０７８４号公報等に示されるように、上述の長波帯標準電波信号を受信して時刻修正を行うことのできる電波修正時計も提案されている。この種の電波修正時計は、長波帯標準電波信号を受信する受信系回路と、受信信号に基づいて指針駆動系を駆動して時刻修正を行う制御回路とを内蔵しており、時刻修正モードにおいて、指針位置が受信した長波帯標準電波信号の時刻コードに応じた位置に修正するようにしている。
【０００４】
【発明が解決しようとする課題】
上述のように、長波帯標準電波信号は、時刻管理や報時サービスに利用されている以外に電波修正時計に利用されているが、この利用は、長波帯標準電波信号に含まれる時刻コードの一部を利用したものに過ぎず、その時刻コードには多くの時刻情報が含まれているので、その時刻コードに含まれる多くの情報をモニタしたいという要望があった。
【０００５】
図３（ａ），（ｂ）を用いて上述の長波帯標準電波信号について説明すると、同図（ａ）は、毎時１５分及び４５分以外の時刻コードのフォーマットが示され、また、同図（ｂ）は、毎時１５分及び４５分の時刻コードのフォーマットが示されている。この時刻コードは、１ビット／秒で１分間を１フレームとし、ＢＣＤコードで提供されている。そして、この提供されるデータには、「１」，「０」の他にＰコードと呼ばれるマーカが含まれている。このＰコードは、０秒、９秒、１９秒、２９秒、３９秒、４９秒、及び５９秒に現れる。上述の電波修正時計等の時刻調整は、５９秒及び０秒に現れるＰコードに基づいて行われている。
【０００６】
なお、上述の「１」，「０」，「Ｐ」は、福島県のおおたかどや山から送信される４０ＫＨｚ  の長波帯標準電波信号の場合、「１」の信号は、１秒間に５００ｍｓだけ４０ＫＨｚ  の信号が送信され、「０」の信号は、１秒間に８００ｍｓだけ４０ＫＨｚ  の信号が送信され、そして、「Ｐ」は、１秒間に２００ｍｓだけ４０ＫＨｚ  の信号が送信される。また、佐賀県と福岡県の県境のはがね山から送信される「１」，「０」，「Ｐ」は、上述のおおたかどや山からの４０ＫＨｚ  に代えて６０ＫＨｚ  の信号とされている。
【０００７】
図３（ａ）の毎時１５分及び４５分以外に送信される時刻コードには、「分」、「時」、１月１日からの「通算日」、「分パリティ」、「時パリティ」、サマータイムが導入されたときの「予備ビット」、西暦の下２桁の「年」、０〜６で示される日曜から土曜の「曜」及び１ヶ月以内にうるう秒が存在するか否かを知らせる「うるう」が含まれている。
【０００８】
また、図３（ｂ）の毎時１５分及び４５分に送信される時刻コードには、上述の「曜」に代えて「停波情報」が含まれている。この停波情報は、長波帯標準電波信号の送信設備のメンテナンス等により長波帯標準電波信号の停止を予め報知するためのものである。
【０００９】
上述のように、長波帯標準電波信号中には、電波修正時計で利用される「Ｐ」信号以外に多くの情報を含んでいるので、この情報を長波帯標準電波信号の送信所から遠く離れている地点においてもモニタできるようにすることが望まれていた。
【００１０】
そこで、本発明は、上記要望に応えるためになされたものであって、その目的は、長波帯標準電波信号に含まれている多くの情報を長波帯標準電波信号の送信所（おおたかどや山又ははがね山）から遠く離れた地点においてモニタできるようにした長波帯標準電波信号モニタ装置を提供することにある。
【００１１】
【課題を解決するための手段】
本発明に係る長波帯標準電波信号モニタ装置は、上記目的を達成するために、請求項１に記載の発明は、長波帯標準電波信号を送信する所定の送信所から遠く離れた場所で用いられる長波帯標準電波信号モニタ装置であって、前記長波帯標準電波信号を受信する受信手段と、受信された長波帯標準電波信号に含まれるノイズを除去する前処理手段と、前処理された長波帯標準電波信号に含まれる所定の情報を抽出する抽出手段と、抽出された所定の情報を表示する表示手段と、を有することを特徴としている。
【００１２】
【発明の実施の形態】
以下、本発明の実施の形態を図面に基づいて説明する。図１は、一実施の形態に係る長波帯標準電波信号モニタ装置の概略構成を示すブロック図、図２は、その装置の表示画面の正面図である。
【００１３】
この長波帯標準電波信号モニタ装置ａは、長波帯標準電波信号をアンテナ１を介して受信し、その受信した信号を増幅処理する、本発明の受信手段に相当する受信増幅回路２を有している。この受信増幅回路２で増幅処理された信号は、本発明の前処理手段に相当する前処理部イに入力される。
【００１４】
前処理部イは、受信増幅回路２から出力される信号中の４０ＫＨｚ  又は６０ＫＨｚ  の信号帯域を抽出するバンドパスフィルタ３と、バンドパスフィルタ３の出力を増幅する増幅回路４と、その増幅回路４の出力を二乗処理して全波整流処理するとともに、後述の分別処理（スライス回路６及びリミッタ７の処理）を容易にするための二乗回路５と、その二乗回路５の出力のうち、ローレベルのノイズ成分を除去して波形成形するためのスライス回路６と、そのスライス回路６で波形成形された出力（二乗回路５の出力）のハイレベルのノイズ成分を除去して波形成形するためのリミッタ７と、そのリミッタ７の出力からタイムコード、すなわち、「１」、「０」及び「Ｐ」の各コード出力を検出するために当初の信号（二乗回路５で二乗処理された４０ＫＨｚ  又は６０ＫＨｚ  の信号）を所定時間（例えば７ｍｓ）持続させ、その当初の信号に含まれるノイズ成分を除去し、タイムコード信号を検出するためのタイムコード検出回路８と、そのタイムコード検出回路８の出力のうちのタイムコード信号及びタイムコード以外の部分に含まれるノイズ成分を除去する、積分回路で形成されるノイズ抑圧回路９とが含まれている。
【００１５】
上記前処理部イにおいて、長波帯標準電波信号モニタ装置ａが福島県のおおたかどや山から送信される長波帯標準電波信号をモニタする場合、バンドパスフィルタ３は、４０ＫＨｚ  帯の信号を通過させるように調整され、また、その長波帯標準電波信号モニタ装置ａが佐賀県と福岡県との県境のはがね山から送信される長波帯標準電波信号をモニタする場合、バンドパスフィルタ３は、６０ＫＨｚ  帯の信号を通過させるように調整される。
【００１６】
本発明の表示手段に相当する表示部ロには、受信増幅回路２で受信した信号を前処理部イでノイズ除去された信号、すなわち、「１」、「０」及び「Ｐ」の各コードに対応したパルス状の信号が入力される。そして、その入力された信号（時間幅に変更されたタイムコード信号）は、表示部ロに設けられているＣＰＵを含んで形成され、ソフトウェア処理により変換処理する変換部１０でデジタル信号（論理信号）に変換されるように構成されている。
【００１７】
この表示部ロには、上記変換部１０の他に、表示部ロを統括的に制御するＣＰＵを中心に形成された演算部１１と、その演算部１１用のシステムプログラムデータやワーキングデータ等の各種データを記憶するためのメモリ１２と、７セグメントを含んで構成される表示回路１３と、スイッチ群やテンキー等の入力器を含んで構成される操作回路１４とが含まれている。図１中、１５は、長波帯標準電波信号モニタ装置ａを駆動するための電源回路である。
【００１８】
上記構成からなる長波帯標準電波信号モニタ装置ａが駆動されると、アンテナ１を介して受信された信号は、受信増幅回路２で増幅処理されたのち、前処理部イでノイズ成分が除去されて表示部ロに入力される。すなわち、表示部ロには、上記図３（ａ）又は同図（ｂ）に示される時刻データが入力されるので、演算部１１では、その入力された時刻データを基に表示回路１３の表示画面１３ａにその時刻データに含まれる情報を表示するように制御する。この表示制御は、演算部１１で１分間に入力した情報、すなわち、図３（ａ）の「分」〜「うるう」まで、又は、図３（ｂ）の「分」〜「停波情報」までの情報を演算処理して表示画面１３ａに表示制御する。したがって、表示画面１３ａには、実際の時刻データよりも１分前のものが１分を加算した形で表示される。また、停波情報は、前回の受信した情報が次回に受信するまで継続される。
【００１９】
図２は、表示画面１３ａの表示例を示していて、２００２年１１月１日（金）１２時５分におけるモニタの表示を示している。すなわち、この表示画面１３ａには、上から下に順に、上記図３（ａ），（ｂ）の時刻コードのフォーマットの左から右に対応して表示されている。この表示例において、「５曜」は金曜に相当している。また、うるう秒の「０，０」は、１ヶ月以内にうるう秒がないことを示している。なお、１ヶ月以内にうるう秒の挿入があるときは、「１，１」に表示され、１ヶ月以内にうるう秒の削除があるときは、「１，０」に表示される。表示画面１３ａの停波情報は、「０，０，０，０，０，０」は、停波予定なしを表し、「０，０，１，１，１，１」は、７日以内に昼間のみ２日未満の長波帯標準電波信号の送信停止があることを表すように予め決められている。なお、「曜」，「うるう秒」、あるいは「停波情報」は、数値情報ではなく、数値を具体的な文字等に変換して表示してもよいことはもちろんであるが、長波帯標準電波信号をそのままモニタする上では、数値の方が便利である。
【００２０】
【発明の効果】
本発明に係る長波帯標準電波信号モニタ装置は、長波帯標準電波信号を送信する所定の送信所から遠く離れた場所で用いられる長波帯標準電波信号モニタ装置であって、前記長波帯標準電波信号を受信する受信手段と、受信された長波帯標準電波信号に含まれるノイズを除去する前処理手段と、前処理された長波帯標準電波信号に含まれる所定の情報を抽出する抽出手段と、抽出された所定の情報を表示する表示手段とを有するので、長波帯標準電波信号に含まれる情報を簡単にモニタすることができる。
【図面の簡単な説明】
【図１】本発明の一実施の形態に係る長波帯標準電波信号モニタ装置の概略構成を示すブロック図である。
【図２】表示画面の表示例である。
【図３】時刻データのフォーマットである。
【符号の説明】
ａ  長波帯標準電波信号モニタ装置
１  アンテナ
２  受信増幅回路（受信手段）
イ  前処理部（前処理手段）
３  バンドパスフィルタ
４  電圧増幅回路
５  二乗回路
６  スライス回路
７  リミッタ
８  タイムコード検出回路
９  ノイズ抑圧回路
ロ  表示部（表示手段）
１０  変換部
１１  演算部（ＣＰＵ）
１２  メモリ
１３  表示回路
１４  操作回路
１５  電源回路
【図１】
2004153508.tif 000003
【図２】
2004153508.tif 000004
【図３】
2004153508.tif 000005